(57)【要約】【課題】移動中に視聴している番組の中断時点以降の番組のリアルタイム録画予約を可能とすることにより、利便性を提供するとともに使い勝手の良い、移動体端末装置および録画通信システムを提供する。【解決手段】移動体端末装置は、テレビ放送を受信するチューナ部１１と、録画ボタン５１と、録画ボタン５１の押下を検出した、もしくは受信状態の悪化を検出したことを契機に、視聴中の番組情報を、通信網３を介して接続される録画装置（録画ＰＣ１または録画サーバ２）に送信し、録画装置による、録画ボタン５１押下、もしくは受信状態が悪化した以降の番組内容の録画を起動する制御部１３と、により構成される。【選択図】図２
2008294743.tif 000002
【特許請求の範囲】
【請求項１】
録画装置と通信網を介して接続される移動体端末装置であって、
テレビ放送を受信するチューナ部と、
録画ボタンと、
前記録画ボタンの押下を検出したことを契機に視聴中の番組情報を前記録画装置に送信し、前記録画装置による前記録画ボタン押下以降の番組内容の録画を起動する制御部と、
を有することを特徴とする移動体端末装置。
【請求項２】
録画装置と通信網を介して接続される移動体端末装置であって、
テレビ放送を受信するチューナ部と、
前記テレビ放送の受信状態を監視する受信状態監視部と、
前記受信状態監視部で受信状態が予め規定される閾値以下になったことを契機に、視聴中の番組情報を前記録画装置に送信し、前記録画装置による、前記受信状態が閾値以下になった以降の番組内容の録画を起動する制御部と、
を有することを特徴とする移動体端末装置。
【請求項３】
前記録画装置が設置される固定局において視聴可能な番組情報リストが記憶される記憶部を有し、
前記制御部は、
前記録画ボタンの押下を検出し、もしくは前記受信状態判定部で判定した受信状況が予め規定される閾値以下になったことを検出した場合、前記記憶部から視前記番組情報リストを読み出し、当該番組情報リストと、前記視聴中の番組情報とを比較し、一致した場合に前記視聴中の番組情報を送信することを特徴とする請求項１または請求項２記載の移動体端末装置。
【請求項４】
前記制御部は、
前記録画ボタンの押下を検出し、もしくは前記受信状態判定で判定した受信状態が予め規定される閾値以下になったことを契機に、前記番組情報の他に、位置情報を送信することを特徴とする請求項１から請求項３のうちのいずれか１項記載の移動体端末装置。
【請求項５】
固定局に設置された録画装置と、
前記録画装置とは通信網経由で接続され、前記固定局の宛先が登録された通信装置と、
前記通信装置とは有線もしくは無線により接続され、テレビ放送視聴中、録画ボタンの押下を検出し、もしくは前記テレビ放送の受信状況の悪化が検出されたことを契機に、前記テレビ放送視聴中の番組情報を、前記通信装置を介して前記宛先に送信し、前記録画装置による、前記録画ボタンの押下もしくは受信状況の悪化が検出された以降の番組内容の録画を起動する後位端末装置と、
を有することを特徴とする録画通信システム。
【請求項６】
前記録画装置は、
前記通信網を介して接続される、前記固定局としての送信先があらかじめ登録された、自宅に設置された録画ＰＣであることを特徴とする請求項５に記載の録画通信システム。
【請求項７】
前記録画装置は、
前記通信網を介して接続される、前記固定局としての送信先があらかじめ登録された、プロバイダが管理運営する録画サーバであることを特徴とする請求項５記載の録画通信システム。
【発明の詳細な説明】
【技術分野】
【０００１】
この発明は、例えば、録画ＰＣ（Personal Computer）や録画サーバ等の録画装置とはＩＰ（Internet Protocol）ネットワーク等の通信網を介して接続される、移動体端末装置および録画通信システムに関するものである。
【背景技術】
【０００２】
近年の車載情報機器は、テレビ放送の受信機能の搭載が必須となっており、特に、運転者以外は、車で移動中、テレビを視聴することによって過ごすことが多い。しかしながら、テレビ放送の受信状態は、地形、進行方向、周囲状況、気象環境等により大きく変化し、視聴中の番組にノイズ等により途切れが発生し、最悪、テレビ視聴を途中で中断することを余儀なくされる場合もあり、車載情報機器に対する不満要因になっている。さらに今日では地上波デジタル放送も始まり、車中でのテレビ視聴における受信品質に対する期待は増加の一途をたどっているため、利便性改善の余地がある。
【０００３】
一方、運転者は、運転中、映像を見ることができないため、停車状態から車を運転する必要が発生した場合に、その時点以降のテレビ視聴を諦める必要があり、同様に利便性が損なわれており、その解決手段の提供も期待されている。
【０００４】
上記した課題を解決するために、中断した時点以降の番組を録画して、例えば帰宅時等、別の機会に視聴することが考えられる。これらに関する提案は従来から多数出願されており、例えば、外出先から携帯電話等を使用して家庭にあるデジタル放送受信機器を遠隔操作して、受信・録画したい番組を設定する記述が知られている（特許文献１参照）。また、Ｗｅｂ（World Wide Web）機能を有する携帯電話を用いて録画代行サービスによる録画内容の入手を行なう技術も知られている（特許文献２参照）。
【０００５】
【特許文献１】特開２００３−１９９０８２号公報
【特許文献２】特開２００３−１５８７３３号公報
【発明の開示】
【発明が解決しようとする課題】
【０００６】
上記した特許文献１に開示された技術によれば、携帯電話から公衆回線を使用して家庭の録画機器に録画指示を行なうが、携帯電話が持つＷｅｂ（World Wide Web）接続機能を用い電子番組表を参照しながら録画の指示を行うものであり、車内でリアルタイムに視聴している番組の録画制御を行うものではない。また、録画のために煩雑な操作を要し、特に、これから運転を開始しようとする運転者にとっては非常に使い勝手が悪い。
また、特許文献２に開示された技術は、録画予約を第三者が管理運営するデータセンタに対して行なうものであるが、あらかじめ録画予約を行なっていた場合のみの対応であり、特許文献１同様、走行中に視聴不能になった番組を録画することはできない。
【０００７】
この発明は上記した課題を解決するためになされたものであり、移動中に視聴している番組の中断時点以降の番組のリアルタイム録画予約を可能とすることにより、利便性を提供するとともに使い勝手の良い、移動体端末装置および録画通信システムを提供することを目的とする。
【課題を解決するための手段】
【０００８】
この発明に係る移動体端末装置は、テレビ放送を受信するチューナ部と、録画ボタンと、前記録画ボタンの押下を検出したことを契機に視聴中の番組情報を、通信網を介して接続される録画装置に送信し、前記録画装置による前記録画ボタン押下以降の番組内容の録画を起動する制御部とを有するものである。
【０００９】
また、この発明に係る移動体端末装置は、テレビ放送を受信するチューナ部と、前記テレビ放送の受信状況を監視する受信状況監視部と、前記受信状況監視部で監視した前記受信状況が予め規定される閾値以下になったことを契機に視聴中の番組情報を、通信網を介して接続される録画装置に送信し、前記録画装置による前記受信強度が閾値以下になった移行の番組内容の録画を起動する制御部とを有するものである。
【００１０】
この発明に係る録画通信システムは、固定局に設置された録画装置と、前記録画装置とは通信網経由で接続され、前記固定局の宛先が登録された通信装置と、前記通信装置とは有線もしくは無線により接続され、テレビ放送視聴中、録画ボタンの押下を検出し、もしくは前記テレビ放送の受信状況の悪化が検出されたことを契機に、前記テレビ放送視聴中の番組情報を、前記通信装置を介して前記宛先に送信し、前記録画装置による、前記録画ボタンの押下、もしくは前記受信状況の悪化が検出された以降の番組内容の録画を起動する後位端末装置とを有するものである。
【発明の効果】
【００１１】
この発明によれば、移動中に視聴している番組の中断時点以降の番組のリアルタイム録画予約を可能とすることにより、利便性を提供するとともに使い勝手の良い、移動体端末装置および録画通信システムを提供することができる。
【発明を実施するための最良の形態】
【００１２】
実施の形態１．
図１は、この発明の実施の形態１に係る録画通信システムのシステム構成の一例、ならびに指令およびデータの流れを示す図である。
図１に示されるように、この発明の実施の形態１に係る録画通信システムは、自宅やサービスプロバイダ等の固定局に設置された録画ＰＣ１や録画サーバ２等の録画装置と、これら録画装置とはＩＰネットワーク等の通信網３経由で接続され、固定局の宛先が登録された通信装置としての携帯電話４と、携帯電話４とは有線（専用ケーブル）もしくは無線（ブルートゥース等）により接続され、テレビ放送視聴中、録画ボタン５１の押下が検出されたことを契機に、テレビ放送視聴中の番組情報を、携帯電話４を介して上記した宛先に送信し、録画装置による、録画ボタン５１の押下以降に放送される番組内容の録画を起動する後位端末装置としてのカーナビゲーション装置（以下、単にカーナビ５という）とにより構築される。
【００１３】
カーナビ５のフロントパネルには、各種操作を行なうパネルを配置し、そのパネルには液晶表示とともに、指で触れることにより操作を行うことが可能なタッチパネル式のセンサが配置されており、また、それ以外にもユーザ操作を行なうためのハードボタンが周囲に複数個配置されている。上記した録画ボタン５１は、ここではハードボタンの一つとして実装されるものとする。勿論、タッチパネルの一部に割り付けてもよい。
【００１４】
上記構成において、車内でＴＶ放送を視聴中、電波状態の悪化により画面が視聴に耐えられないものになった場合、あるいは運転手が運転を開始するためにＴＶの視聴を中断する必要が発生した場合、カーナビ５のフロントパネルに配置された録画ボタン５１を押すものとする。これを検出したカーナビ５は、携帯電話４を経由して固定局であるインターネット接続環境を有する録画ＰＣ１、もしくは録画サーバ２に録画指示を送信し（ａまたはｂ）、家庭にある録画機器（ＨＤＤレコーダ）、あるいはプロバイダ先で管理運営される録画サーバ２による録画を開始される。そして運転者、あるいは同乗者が自宅に戻り、自宅にある録画ＰＣ１を起動し、録画ボタン５１押下以降に録画された番組内容を再生（視聴）するか、録画サーバ２から同録画番組をダウンロードして、再生することにより車中で視聴した続きの番組を視聴することが可能になる（ｃ）。
なお、上記した録画ボタン５１は、カーナビ５のフロントパネル正面に配置され、かつ、操作を瞬時に行なうことが出来るかたちで実装されていることは当然である。
【００１５】
図２は、この発明の実施の形態１に係る移動体端末装置の内部構成を示すブロック図である。この発明の実施の形態１に係る移動体端末装置は、車両に搭載されたカーナビ５と、当該カーナビ５に専用ケーブル４０（ＵＳＢ：Universal Serial Bus）経由で接続された携帯電話４の組からなる通信モジュール１０が例示されている。
図２において、通信モジュール１０は、ＴＶチューナ部１１と、デコーダ部１２と、制御部１３と、カーナビモニタ部５０と、携帯電話４の通信部４１とにより構成される。
【００１６】
ＴＶチューナ部１１は、テレビ放送を受信する機能を有し、ここでは、移動体向け地上波デジタル放送を受信するものとする。デコーダ部１２は、放送波から復調され多重化ＴＳを分離して音声信号と映像信号に復号してカーナビモニタ部５０へ供給する。カーナビモニタ部５０が実装される筐体の任意の箇所には上記した録画ボタン５１が設置されているものとする。制御部１３は、録画ボタン５１の押下を検出したことを契機に、視聴中の番組情報を携帯電話４の通信部４１経由で、録画ＰＣ１、録画サーバ２等の録画装置に送信し、当該録画装置による、録画ボタン押下以降の番組内容の録画を起動する機能を有する。制御部１３はまた、現在地表示、目的地案内、誘導等、カーナビ５が本来持つ機能も実現する。但し、これら機能については本発明と直接的に関係しないため、説明を省略する。
【００１７】
制御部１３は、固定局において視聴可能な番組情報リスト（ＥＰＧ）が記憶される後述する記憶部１３６を有し、録画ボタン５１の押下を検出した場合、記憶部１３６からＥＰＧを読み出し、当該ＥＰＧと、視聴中の番組情報とを比較し、一致した場合に視聴中の番組情報を送信する。また、制御部１３は、録画ボタン５１の押下を検出したことを契機に、通信部４１経由で、録画ＰＣ１や録画サーバ２等の録画装置に、番組情報の他に車両の現在位置情報を送信してもよい。この場合、録画実行の有無は、現在位置情報に基づくＥＰＧを参照した録画装置側で決定することになる。
【００１８】
制御部１３は、図２にその内部構成が機能展開され示されているように、主制御部１３０と、録画ボタン押下検出部１３１と、比較部１３３と、番組情報送信部１３４と、通信インタフェース部１３５と、記憶部１３６とにより構成される。
記憶部１３６には、視聴中番組情報と、固定局のＥＰＧと、固定局の宛先（送信先）とが記憶されている。なお、ＥＰＧは、電子番組ガイド（Electronic Program Guide）であり、ＴＶ放送電波に重畳され配信されるデータである。
【００１９】
主制御部１３０は、録画ボタン５１の押下を検出したことを契機に、視聴中の番組情報を携帯電話４の通信部４１を経由して録画ＰＣ１や録画サーバ２等の録画装置に送信し、当該録画装置による、録画ボタン５１押下検出以降に放送される番組の録画を起動する制御部１３としての制御中枢となり、後述する各機能ブロック１３１〜１３５のシーケンス制御を行なう。
録画ボタン押下検出部１３１は、カーナビモニタ部５０に設けられた録画ボタン５１の押下を検出して後述する比較部１３３による比較操作を有効にする。
【００２０】
比較部１３３には、記憶部１３６から、視聴中、チャンネル変更の都度更新される番組情報と、固定局におけるＥＰＧとが入力されており、録画ボタン押下検出部１３１により出力される信号をトリガとして両入力を比較し、番組情報送信部１３４を起動する。
番組情報送信部１３４は、記憶部１３６に記憶された番組情報を、固定局の宛先情報に基づき、通信インタフェース部１３５、専用ケーブル４０、携帯電話４の通信部４１、通信網３経由で、録画ＰＣ１もしくは録画サーバ２へ送信する。
【００２１】
図３は、この発明の実施の形態１に係る移動体端末装置の動作を示すフローチャートである。以下、図３に示すフローチャートを参照しながら、図２に示すこの発明の実施の形態１に係る移動体端末装置の動作について詳細に説明する。
【００２２】
図３のフローチャートにおいて、ユーザは、事前に、固定局の送信先を登録してあるものとする（ステップＳＴ３０１）。固定局の送信先の登録を行なうには動作環境設定時のＧＵＩ（Graphical User Interface）画面を使用する。ここでは、固定局として、自宅に設置された録画ＰＣ１、もしくはプロバイダが管理運営する録画サーバ２のいずれかを選択し、その宛先（ＩＰアドレス）が登録される。
上記した準備作業の後、ユーザがＴＶ放送番組視聴中（ステップＳＴ３０２“Ｙｅｓ”）、主制御部１３０は、チャンネル切り替え毎に番組情報（チャンネル番号、放送局名、および番組名）を更新し、記憶部１３６の所定の領域に記憶する（ステップＳＴ３０３）。
【００２３】
続いて、ユーサが録画ボタン５１を押下すると、これを録画ボタン押下検出部１３１がキースキャンにより検出し（ステップＳＴ３０４“Ｙｅｓ”）、比較部１３３による比較操作を有効にする。このとき、主制御部１３０は、記憶部１３６から録画ボタン５１押下直前の視聴中の番組情報を読み出し、比較部１３３の一方の入力端子に供給する（ステップＳＴ３０５）。このとき、比較部１３３の他方の入力端子には、同じく記憶部１３６から読み出され、先に宛先登録された固定局のＥＰＧが入力されている。
【００２４】
比較部１３３は、入力端子に供給された両入力データを比較（固定局のＥＰＧに録画を行なう番組情報が含まれるか否か）することにより、録画ボタン５１押下直前にユーザが視聴していた番組情報が固定局においても視聴できるか否かを判定する（ステップＳＴ３０６）。
比較部１３３による比較結果は、番組情報送信部１３４を制御し、番組情報送信部１３４は、この比較結果にしたがい固定局においても視聴可と判定された場合（ステップＳＴ３０６“一致あり”）、記憶部１３６に記憶された固定局の宛先情報に基づき番組情報を、通信インタフェース部１３５、専用ケーブル４０、携帯電話４の通信部４１、通信網３経由で、固定局にある録画ＰＣ１もしくは録画サーバ２へ送信して、録画ボタン５１押下以降に放送されるＴＶ放送番組の録画起動を行なう（ステップＳＴ３０７）。なお、固定局のＥＰＧの中に録画を行なう番組情報が含まれない場合は（ステップＳ３０６“一致なし”）、例えば、カーナビモニタ部５０へ録画不可等のメッセージが表示される。
【００２５】
上記したこの発明の実施の形態１によれば、録画ボタン５１の押下を検出したことを契機に視聴中の番組情報を録画装置（録画ＰＣ１、録画サーバ２）に送信し、当該録画装置による録画ボタン５１押下以降に放送された番組内容の録画を起動することで、リアルタイム録画予約を可能とする。このことにより、ユーザに利便性を提供するとともに使い勝手の良い、移動体端末装置を提供することができる。
【００２６】
実施の形態２．
図４は、この発明の実施の形態２に係る移動体端末装置の内部構成を示すブロック図であり、図５は、その動作を示すフローチャートである。
図４に示すこの発明の実施の形態２に係る移動体端末装置において、図２に示す実施の形態１との差異は、図２に示す実施の形態１では、録画ボタン５１の押下検出を契機に録画装置の録画を起動したのに対し、実施の形態２では、受信状態監視部１３２を備え、図５に示されるように、受信状態監視部１３２でＴＶ放送の受信状態を監視し（ステップＳＴ５０９）、受信状態があらかじめ規定される閾値レベル以下になったことを契機に（ステップＳＴ５１０“Ｙｅｓ”）、録画装置の録画を起動している点が異なる。
【００２７】
受信状態監視部１３２で、ＴＶチューナ部１１が受信するＴＶ放送電波の受信レベルを取得し、あらかじめ閾値設定された受信レベルと比較することにより電波状態を監視し、電波環境が悪化して閾値レベル以下となった場合に（ステップＳＴ５１０“≦”）、比較部１３３による比較操作を有効にする。比較部１３３は、電波状態が悪化する直前にユーザが視聴していた番組情報が固定局においても視聴できるか否かをＥＰＧを参照することにより判定し、当該比較結果にしたがい固定局においても視聴可と判定された場合（ステップＳＴ５０６“一致あり”）、記憶部１３６に記憶された固定局の宛先情報に基づき番組情報を、通信インタフェース部１３５、専用ケーブル４０、携帯電話４の通信部４１、通信網３経由で、固定局にある録画ＰＣ１もしくは録画サーバ２へ送信して、電波状態悪化以降に放送されるＴＶ放送番組の録画起動を行なう（ステップＳＴ５０７）。
【００２８】
上記した実施の形態２によれば、受信状態監視部１３２により監視される受信状態が予め規定される閾値以下になったことを契機に視聴中の番組情報を録画装置に送信し、録画装置による受信強度が閾値以下になった以降の番組内容の録画を起動することにより、リアルタイム録画予約を可能とする。このことにより、ユーザに利便性を提供するとともに使い勝手の良い移動体端末装置を提供することができる。また、実施の形態１で必要とした、カーナビ本体装置５０に配置される録画ボタン５１が不要となり、受信環境が悪化した場合に自動的に続きの録画予約をすることができるため、ユーザの負担を軽減することができ、一層、使い勝手が良くなり、また利便性が増す。
なお、上記した実施の形態２によれば、受信状態を監視することにより自動的に録画装置による録画を起動することとしたが、受信状態を監視することに代えてデコーダ部１２による復号状態を監視することによっても同様の効果が得られる。
【００２９】
図６、図７は、この発明の実施の形態１、２に係る録画通信システムの使用シーンを説明するために示した図である。
図６は、外部との通信手段（インターネト接続環境）を搭載した録画ＰＣ１やＨＤＤレコーダ等の録画機器を家庭内に所有している場合、図７は、外部との通信手段を搭載した録画機器を家庭内に所有しない場合、のそれぞれを示している。
【００３０】
図６（ａ）に示されるように、車内でＴＶ放送を視聴中、受信状態の悪化によりカーナビ５画面が視聴に耐えられないものになった場合、あるいは運転手が運転を開始するためにＴＶの視聴を中断する必要が発生した場合、カーナビ５のフロントパネルに配置された録画ボタン５１を押す。これを検出したカーナビ５は、携帯電話４、ＩＰネットワーク３を経由して固定局である自宅の録画ＰＣ１に録画指示を発し、その結果、録画ＰＣ１は、録画ボタン５１押下以降に放送される続きの番組録画を開始する。
図６（ｂ）に示されるように、運転者あるいは同乗者が自宅に戻り、録画ＰＣ１を起動し、録画ボタン５１押下以降に録画された番組内容を再生（視聴）することができる。
【００３１】
なお、ここでは、録画ボタン５１を押下することにより録画を起動することとしたが、受信状態が悪化したときに自動的に録画を起動することも可能である。また、移動体端末装置（カーナビ５）が固定局におけるＥＰＧを有していない場合、視聴中の番組情報の他に、車両の現在位置情報を送信することで、録画ＰＣ１がその位置情報に対応した地域のＥＰＧを取得し、当該取得したＥＰＧと、受信した録画を希望する番組情報との比較を行い、希望する番組情報の録画の有無を返答してもよい。
【００３２】
図７に示す例は、録画サービスを提供するプロバイダサイドで、ＴＶ放送の受信設備と、録画設備とを備えたサーバセンタを設置しており、利用者がプロバイダとの間であらかじめ録画契約を結ぶことが必要である。
ここでも図６に示す例と同様、図７（ａ）に示されるように、車中でＴＶ放送視聴中に録画希望が発生した場合に、運転手、もしくは同乗者がカーナビ５のフロントパネルに配置された録画ボタン５１を押下する。このことにより、図７（ｂ）に示されるように、録画指示がカーナビ５（携帯電話４経由）経由でプロバイダが管理運営するサーバセンタに送られ、録画サーバ２による録画が実行される。そして、図７（ｃ）に示されるように、後日、サーバセンタからＩＰネットワーク３経由で自宅ＰＣ６に録画データが送信され、家庭内で視聴することを可能としたものである。なお、ＩＰネットワーク３経由で録画番組を配信する以外に、ディスクやテープ等の録画媒体をデータの受け渡し手段として使用することも可能である。
【００３３】
また、上記した実施の形態２に係る移動体端末装置で説明したように、あらかじめカーナビ５に、受信状態が悪化したときに録画指示を行う“自動録画指示機能”を設定しておくことも可能である。すなわち、走行中にＴＶ放送の受信状態が悪化した場合、その状況に応じて自動的に録画指示を発信するものである。このために、ＴＶチューナ部１１から、例えば、受信電波強度に比例した電圧が出力され、その電圧値を制御部１３が監視する仕組みが構築される。ここで、制御部１３に内蔵されるマイコンが検知する電圧が、例えば、１．５Ｖ以上の場合には、受信レベルが十分であると判断し、１．５Ｖ以下の場合には受信レベルが弱いと判定する。すなわち、閾値である電圧１．５Ｖを下回った場合に制御部１３が自動で録画指示を発信する。このことにより、運転手は車内での視聴の状況を気にすることなく運転に集中できるという安全上の効果も得られる。
【００３４】
以上説明のように、この発明の実施の形態１、２に係る移動体端末装置および録画通信システムによれば、移動中に視聴している番組の中断時点以降の番組のリアルタイム録画予約を可能とすることにより、ユーザに利便性を提供するとともに使い勝手が向上する。
なお、上記した実施の形態１、２に係る移動体端末装置によれば、通信手段として携帯電話４を用いたが、機器組み込み型の通信モジュールを用いることにより、よりコンパクトな移動体端末装置を提供することができる。また、この発明は、特に、デジタル放送受信に用いて効果的であるが、アナログ放送の場合も同様に応用が可能である。
【００３５】
また、図２、図４に示す制御部１３が有する各構成ブロックの機能は、全てをソフトウェアによって実現しても、あるいはその少なくとも一部をハードウェアで実現してもよい。例えば、主制御部１３０におけるデータ処理は、１または複数のプログラムによりコンピュータ上で実現してもよく、また、その少なくとも一部をハードウェアで実現してもよい。
【図面の簡単な説明】
【００３６】
【図１】この発明の実施の形態１に係る録画通信システムのシステム構成の一例、ならびに指令およびデータの流れを示す図である。
【図２】この発明の実施の形態１に係る移動体端末装置の内部構成を示すブロック図である。
【図３】この発明の実施の形態１に係る移動体端末装置の動作を示すフローチャートである。
【図４】この発明の実施の形態２に係る移動体端末装置の内部構成を示すブロック図である。
【図５】この発明の実施の形態２に係る移動体端末装置の動作を示すフローチャートである。
【図６】この発明の実施の形態１、２に係る録画通信システムの使用シーンの一例を示した図である。
【図７】この発明の実施の形態１、２に係る録画通信システムの使用シーンの他の例を示した図である。
【符号の説明】
【００３７】
１  録画ＰＣ（録画装置）、２  録画サーバ２（録画装置）、３  通信網、４  携帯電話、１０  通信モジュール（移動体端末装置）、１１  ＴＶチューナ部、１２  デコーダ部、１３  制御部、４０  専用ケーブル、４１  通信部、５０  カーナビモニタ部、５１  録画ボタン、１３０  主制御部、１３１  録画ボタン押下検出部、１３２  受信状態監視部、１３３  比較部、１３４  番組情報送信部、１３５  通信インタフェース部、１３６  記憶部。
【図１】
2008294743.tif 000003
【図２】
2008294743.tif 000004
【図３】
2008294743.tif 000005
【図４】
2008294743.tif 000006
【図５】
2008294743.tif 000007
【図６】
2008294743.tif 000008
【図７】
2008294743.tif 000009